(57)【要約】【課題】データの授受、更新などに関わる処理を簡便に行えるようにする。【解決手段】バインダデータフォルダ２１１には、バインダに関するデータが記憶されている。ユーザの指示により、他の装置へのデータの出力が指示された場合、バインダデータフォルダ２１１に記憶されているデータから、対応するデータが読み出され、そのコピーがデータフォルダ２１２に作成される。コンバートソフトウェア１０３は、データプールフォルダ２１２に記憶されているデータを、指示された他の装置が扱えるデータに変換し、他の装置に対してその変換したデータを出力する。本発明は、異なる装置と接続される可能性のあるパーソナルコンピュータなどに適用できる。【選択図】　　　図１０
2004126886.tif 000002
【特許請求の範囲】
【請求項１】
第１のソフトウェアで扱える形式のコンテンツデータを記憶する記憶手段と、
前記記憶手段に記憶されている前記コンテンツデータを第２のソフトウェアで扱える形式のデータに変換する変換手段と
を含み、
前記変換手段は、前記コンテンツデータに含まれ、前記コンテンツデータを識別するための識別情報を、変換前後で同一のものとする
ことを特徴とする情報処理装置。
【請求項２】
前記変換手段は、前記第２のソフトウェアで扱えないデータは、変換しない
ことを特徴とする請求項１に記載の情報処理装置。
【請求項３】
前記識別情報は、前記コンテンツデータが属するカテゴリを示す情報と、前記コンテンツデータを他のコンテンツデータと区別するための情報のうち、少なくとも一方を含む
ことを特徴とする請求項１に記載の情報処理装置。
【請求項４】
前記記憶手段は、前記第１のソフトウェアで扱うための前記コンテンツデータを記憶する第１の領域、前記変換手段により変換が指示されたとき、前記第１の領域内に記憶され、前記指示に対応する前記コンテンツデータを記憶する第２の領域、および、前記変換手段により変換が行われた後の時点で、前記第２の領域に記憶されていた前記コンテンツデータを記憶する第３の領域から構成されている
ことを特徴とする請求項１に記載の情報処理装置。
【請求項５】
コンテンツデータを記憶する記憶手段、前記コンテンツデータを所定の形式に変換する変換手段とを備える情報処理装置の情報処理方法において、
第１のソフトウェアで扱える形式のコンテンツデータの記憶を制御する記憶制御ステップと、
前記記憶制御ステップの処理で記憶が制御された前記コンテンツデータを第２のソフトウェアで扱える形式のデータに変換するとともに、前記コンテンツデータに含まれ、前記コンテンツデータを識別するための識別情報を、変換前後で同一のものとする変換を行う変換ステップと
を含むことを特徴とする情報処理方法。
【請求項６】
コンテンツデータを記憶する記憶手段と、前記コンテンツデータを所定の形式に変換する変換手段とを備える情報処理装置を制御するコンピュータに、
第１のソフトウェアで扱える形式のコンテンツデータの記憶を制御する記憶制御ステップと、
前記記憶制御ステップの処理で記憶が制御された前記コンテンツデータを第２のソフトウェアで扱える形式のデータに変換する変換ステップと
を実行させ、
前記変換ステップは、前記コンテンツデータに含まれ、前記コンテンツデータを識別するための識別情報を、変換前後で同一のものとする
ことを特徴とするプログラム。
【発明の詳細な説明】
【０００１】
【発明の属する技術分野】
本発明は情報処理装置および方法、並びにプログラムに関し、特に、異なる装置間、異なるアプリケーション間などで、データ交換する際に用いて好適な情報処理装置および方法、並びにプログラムに関する。
【０００２】
【従来の技術】
パーソナルコンピュータが普及し、その機能も高性能化している。またパーソナルコンピュータも、デスクトップ型だけでなく、携帯可能なモバイルコンピュータなどと俗に称されるコンピュータやＰＤＡ（Ｐｅｒｓｏｎａｌ　Ｄｉｇｉｔａｌ　Ａｓｓｉｓｔａｎｃｅ）も普及している。さらに、携帯電話も電話としての機能だけでなく、その通信機能を生かし、さまざまな機能が充実してきている。
【０００３】
例えば、モバイルコンピュータや携帯電話など、従来、画像を撮像する機能を有して無く、また、画像を撮像するための装置でなかった装置が、画像を撮像する機能を有するようになってきている。このように、さまざまな種類の装置で画像を撮像できるようになると、それらの装置間で、画像データの交換を行いたいといった要望がユーザに起こり、そのようなことを実現するためのソフトウェアなども発売されている（非特許文献１参照。）。
【０００４】
【非特許文献１】
ソニー株式会社、“ＰｉｃｔｕｒｅＧｅａｒＳｔｕｄｉｏ、ｖｅｒ１．０”、［ｏｎｌｉｎｅ］、［平成１４年９月２５日検索］、インターネット＜ｈｔｔｐ：／／ｖａｉｏ．ｓｏｎｙ．ｃｏ．ｊｐ／Ｐｒｏｄｕｃｔｓ／Ｓｏｆｔｗａｒｅ＿０２ｑ３／ＰｉｃｔｕｒｅＧｅａｒＳｔｕｄｉｏ／＞
【０００５】
【発明が解決しようとする課題】
このように、さまざまな装置が普及してくると、それらの装置間で、データの授受を行いたいという要求や必要性があり、そのことを実現するためのソフトウェアなども発売されているが、実際にデータの授受を行う場合、装置毎の能力の違いや、装置を制御するためのプログラムの違いから、何らかの制限があるときがある。
【０００６】
例えば、高機能のパーソナルコンピュータから低機能のパーソナルコンピュータにデータを提供する場合、低機能のパーソナルコンピュータ側では、処理できないデータまでも提供され、低機能側のパーソナルコンピュータでは、そのデータを生かした再生をできないといった問題があった。また逆に、低機能のパーソナルコンピュータ側からのデータを、そのまま高機能のパーソナルコンピュータで再生すると、再現される色数が少なかったり、粗い画像となってしまったりし、高機能側の性能を生かした再生が行えないといった問題があった。
【０００７】
本発明はこのような状況に鑑みてなされたものであり、異なる装置間、異なるアプリケーション間、異なるＯＳ間において、ユーザが簡便にデータの交換を行えるようにし、かつ、交換されるデータに無駄が無いようにすることを目的とする。
【０００８】
【課題を解決するための手段】
本発明の情報処理装置は、第１のソフトウェアで扱える形式のコンテンツデータを記憶する記憶手段と、記憶手段に記憶されているコンテンツデータを第２のソフトウェアで扱える形式のデータに変換する変換手段とを含み、変換手段は、コンテンツデータに含まれ、コンテンツデータを識別するための識別情報を、変換前後で同一のものとすることを特徴とする。
【０００９】
前記変換手段は、第２のソフトウェアで扱えないデータは、変換しないようにすることができる。
【００１０】
前記識別情報は、コンテンツデータが属するカテゴリを示す情報と、コンテンツデータを他のコンテンツデータと区別するための情報のうち、少なくとも一方を含むようにすることができる。
【００１１】
前記記憶手段は、第１のソフトウェアで扱うためのコンテンツデータを記憶する第１の領域、変換手段により変換が指示されたとき、第１の領域内に記憶され、指示に対応するコンテンツデータを記憶する第２の領域、および、変換手段により変換が行われた後の時点で、第２の領域に記憶されていたコンテンツデータを記憶する第３の領域から構成されているようにすることができる。
【００１２】
本発明の情報処理方法は、第１のソフトウェアで扱える形式のコンテンツデータの記憶を制御する記憶制御ステップと、記憶制御ステップの処理で記憶が制御されたコンテンツデータを第２のソフトウェアで扱える形式のデータに変換するとともに、コンテンツデータに含まれ、コンテンツデータを識別するための識別情報を、変換前後で同一のものとする変換を行う変換ステップとを含むことを特徴とする。
【００１３】
本発明のプログラムは、第１のソフトウェアで扱える形式のコンテンツデータの記憶を制御する記憶制御ステップと、記憶制御ステップの処理で記憶が制御されたコンテンツデータを第２のソフトウェアで扱える形式のデータに変換する変換ステップとをコンピュータに実行させ、変換ステップは、コンテンツデータに含まれ、コンテンツデータを識別するための識別情報を、変換前後で同一のものとすることを特徴とする。
【００１４】
本発明の情報処理装置および方法、並びにプログラムにおいては、異なるＯＳ間、異なるアプリケーション間、異なる装置間などにおいてデータが授受される際、授受されるデータを識別するための情報は変換せずに、互換性が保たれるようにされる。
【００１５】
【発明の実施の形態】
以下に、本発明の実施の形態について図面を参照して説明する。図１は、本発明を適用した情報処理装置を含む情報処理システムの一実施の形態の構成を示す図である。情報処理システムは、ＰＣ（Ｐｅｒｓｏｎａｌ　Ｃｏｍｐｕｔｅｒ）１、クレードル２、および、ＰＤＡ（Ｐｅｒｓｏｎａｌ　Ｄｉｇｉｔａｌ　Ａｓｓｉｓｔａｎｃｅ）３から構成されている。ＰＣ１とＰＤＡ３は、クレードル２を介してデータの授受が行えるように構成されている。
【００１６】
クレードル２は、ＵＳＢ（Ｕｎｉｖｅｒｓａｌ　Ｓｅｒｉａｌ　Ｂｕｓ）コネクタ（不図示）を有しており、そのＵＳＢコネクタと、ＰＣ１のＵＳＢポート３１（図２）が接続されると、ＰＤＡ３は、ＰＣ１と、クレードル２を介して相互に通信することができる状態とされる。換言すると、ＰＤＡ３は、ＵＳＢポートを有する装置との間において、クレードル２を介してデータの共有化を図ることができるように構成されている。
【００１７】
図２は、ＰＣ１の内部構成例を示す図である。ＰＣ１のＣＰＵ（Ｃｅｎｔｒａｌ　Ｐｒｏｃｅｓｓｉｎｇ　Ｕｎｉｔ）２１は、ＲＯＭ（Ｒｅａｄ　Ｏｎｌｙ　Ｍｅｍｏｒｙ）２２に記憶されているプログラムに従って各種の処理を実行する。ＲＡＭ（Ｒａｎｄｏｍ　Ａｃｃｅｓｓ　Ｍｅｍｏｒｙ）２３には、ＣＰＵ２１が各種の処理を実行する上において必要なデータやプログラムなどが適宜記憶される。入出力インタフェース２５は、キーボードやマウスから構成される入力部２６が接続され、入力部２６に入力された信号をＣＰＵ２１に出力する。また、入出力インタフェース２５には、ディスプレイやスピーカなどから構成される出力部２７も接続されている。
【００１８】
さらに、入出力インタフェース２５には、ハードディスクなどから構成される記憶部２８、および、インターネットなどのネットワークを介して他の装置とデータの授受を行う通信部２９も接続されている。ドライブ３０は、磁気ディスク４１、光ディスク４２、光磁気ディスク４３、半導体メモリ４４などの記録媒体からデータを読み出したり、データを書き込んだりするときに用いられる。ＵＳＢポート３１は、クレードル２と接続され、ＰＤＡ３とデータの授受を行う際に用いられる。
【００１９】
図３は、ＰＤＡ３の内部構成例を示すブロック図である。ＣＰＵ６１は、ＲＯＭ６２に記憶されているプログラム、または記憶部７０からＲＡＭ６３にロードされたプログラムに従って各種の処理を実行する。ＲＡＭ６３にはまた、ＣＰＵ６１が各種の処理を実行する上において必要なデータなども適宜記憶される。
【００２０】
ＣＰＵ６１、ＲＯＭ６２、ＲＡＭ６３、および、表示制御部６４は、バス６６を介して相互に接続されている。表示制御部６４は、ＬＣＤ（Ｌｉｑｕｉｄ　Ｃｒｙｓｔａｌ　Ｄｉｓｐｌａｙ）６５の表示を制御するために設けられている。
【００２１】
バス６６には、入出力インタフェース６７も接続されている。入出力インタフェース６７には、タッチパネル６８、キーボードや各種のボタン（いずれも不図示）からなる入力部６９、メモリスティック（商標）８１が装着されるスロット７１、ＰＤＡ３が内蔵するバッテリ（図示せず）を充電させるとともに、ＰＣ１との通信の中継装置となるクレードル２等が接続されるコネクタ７２が接続さ
れている。
【００２２】
タッチパネル６８により検出された座標は、入出力インタフェース６７、バス６６を介してＣＰＵ６１に提供され、ＣＰＵ６１は、提供されたその座標に対応する所定の情報を取得する。
【００２３】
入出力インタフェース６７には、必要に応じて、フラッシュメモリ（ハードディスクなどでも良い）より構成される記憶部７０が接続される。ＰＣ１に適宜装着される磁気ディスク４１、光ディスク４２、光磁気ディスク４３、或いは半導体メモリ４４などから読み出されたプログラムやデータは、クレードル２を介する有線通信等の手段により、必要に応じてＰＤＡ３に対して供給され、記憶部７０にインストールされる。または、スロット７１に適宜装着されるメモリスティック８１から読み出されたプログラムやデータも、必要に応じて記憶部７０にインストールされる。
【００２４】
ＰＣ１側の説明に戻り、ＰＣ１の記憶部２８には、図４に示すようなプログラムが記憶されており、必要に応じ読み出され、ＲＡＭ２３に展開され、ＣＰＵ２１が処理を実行する際に用いられる。ＯＳ１０１は、例えば、マイクロソフト社のＷｉｎｄｏｗｓ（登録商標）などである。ＯＳ１０１が起動された状態で、起動され、所定の処理を実行するソフトウェアとして、ここでは、画像を処理する画像処理ソフトウェア１０２と、異なるソフトウェア間におけるデータの変換を行うためのコンバートソフトウェア１０３が、記憶部２８にインストールされており、ユーザの起動の指示により、ＲＡＭ２３に展開されるとして以下の説明を行う。
【００２５】
ＯＳ５１が起動され、画像処理ソフトウェア１０２が起動されることにより、ＰＣ１の出力部２７としてのディスプレイ上に表示される画面の一例を図５に示す。ディスプレイ１２１上には、ＯＳ１０１が起動されることにより、デスクトップ１３０が表示される。そのデスクトップ１３０上に、画像処理ソフトウェア１０２が起動されることにより、その画像処理ソフトウェア１０２に基づくウィンドウ１３１が表示される。
【００２６】
画像処理ソフトウェア１０２は、６つのアプリケーションから構成されている。なお、以下の説明においては、１つのソフトウェア内に、異なる処理を実行する複数のアプリケーションが存在し、各アプリケーション内に、異なる処理を実行する複数の機能が存在するとして説明する。
【００２７】
図６に詳細を示すに、画像処理ソフトウェア１０２は、「写真を取り込む」アプリケーション１４１、「写真を管理する」アプリケーション１４２、「フォトアルバム」アプリケーション１４３、「バインダーを開く」アプリケーション１４４、「プリントスタジオ」アプリケーション１４５、および、「このソフトの使い方」アプリケーション１４６から構成されている。
【００２８】
これらのアプリケーションに対応した項目が、図５に示したように、ウィンドウ１３１上に表示されている。図５に示した画面例では、各項目は円で示され、アプリケーション名（図６において、「」内に図示した名前）と、それぞれのアプリケーションで実行できることをイメージさせるような絵がそれぞれ記述されている。
【００２９】
「写真を取り込む」アプリケーション１４１は、接続されたデジタルカメラなどから、そのデジタルカメラで撮像された画像データを画像処理ソフトウェア１０２で処理できるように取り込むときに起動される。「写真を管理する」アプリケーション１４２は、取り込まれて記憶されている画像データに基づく画像に対して、名前を付けたり、分類したりするといった処理を行うときに起動される。
【００３０】
「フォトアルバム」アプリケーション１４３は、紙媒体のアルバムを擬似的に再現するアプリケーションであり、この「フォトアルバム」アプリケーション１４３を用いると、例えば、アルバムの頁をめくっているかのように、写真を見ることができ、また、そのようなアルバムを簡便に作成するための処理を行えるアプリケーションである。
【００３１】
「バインダーを開く」アプリケーション１４４は、例えば、料理のレシピなど、その料理の写真、材料や作り方のテキストなどから構成される頁の作成や、閲覧を行うことができるアプリケーションである。
【００３２】
「プリントスタジオ」アプリケーション１４５は、写真を所望な形態でプリント（印刷）する際に起動されるアプリケーションである。「このソフトの使い方」アプリケーション１４６は、画像処理ソフトウェア１０２で行える処理はどのようなものであるか、操作の仕方など、わからないことがある時に起動されるアプリケーションである。
【００３３】
図５に示した画像例では、カーソル１５１が、「バインダを開く」アプリケーション１４４に対応する項目上に位置している。このようにカーソル１５１が位置しているアプリケーション（項目）は、他の項目と区別が付くように表示されるとともに、その選択されている項目を選択することにより（その選択されているアプリケーションにより）、実行できる処理などを記したメッセージが、例えばウィンドウ１３１内の右側部分に表示される。
【００３４】
図５に示した状態から、「バインダを開く」アプリケーション１４４に対応する項目が選択され、起動が指示された場合、図５に示したウィンドウ１３１の表示は、図７に示したようなウィンドウ１７１に切り換えられる。「バインダを開く」アプリケーション１０３が起動されることによりディスプレイ１２１上に表示されるウィンドウ１７１の左側には、バインダの名称の一覧が表示され、その中からユーザが所望のバインダを選択できるようになっているバインダ選択部１７２が設けられている。
【００３５】
なお、ここで、バインダとは、カテゴリーを示し、そのカテゴリー内に含まれるデータがバインダ内に含まれるとして、以下の説明をする。
【００３６】
そのバインダ選択部１７２から選択されたバインダ（図７においては、“レシピ集”という名称のバインダ）の内容が、その右側に設けられたバインダ内容表示部１７３に表示される。バインダ内容表示部１７３の上側には、“ページ表示”というボタンと“一覧表示”というボタンが設けられているが、“ページ表示”というボタンが操作されているときは、所定の（選択されている）バインダの所定の１ページが表示され、“一覧表示”というボタンが操作されているときは、この場合、“レシピ集”という名称のバインダに含まれる全てのページが一覧形式で表示される。図７に示した画面は、“一覧表示”というボタンが操作されている状態であり、“レシピ集”というバインダ内に含まれるページが、一覧表示されている状態を示している。
【００３７】
バインダ選択部１７２において選択されているバインダや、バインダ内容表示部１７３に表示されている内容（１ページ、または複数のページ）のうち、選択されているバインダやページは、他のバインダやページと区別が付くように表示される。また、これらのバインダやページは、カーソル１５１を所望のバインダやページ上に位置させることにより、選択できるように構成されている。
【００３８】
これらの表示部の上側には、複数のボタンが設けられている。「ページを作る」ボタン１７４は、バインダ内に新たなページを作成したいときに操作される。“見る”ボタン１７５は、ページを見るときに操作される。“編集”ボタン１７６は、表示（選択）されたページに対して何らかの編集を加えたいときに操作される。“印刷”ボタン１７７は、表示されているページを印刷したいときに操作される。
【００３９】
“メール”ボタン１７８は、表示されているページや選択されているバインダ内のデータを、電子メールとして（電子メールに添付して）、他のユーザ（コンピュータ）に送信したいときに操作される。“ＰＤＡ”ボタン１７９は、表示されているページや選択されているバインダ内のデータを、ＰＤＡに出力する際に操作される。
【００４０】
図７に示したように、“ＰＤＡ”ボタン１７９上に、カーソル１５１が位置している場合（又は、カーソル１５１が位置し、かつ、マウスのクリックなど所定の操作がされた場合）、図８に示したようなプルダウンメニューが表示される。図８に示したプルダウンメニュー１９１には、“ページ出力”という項目と、“見出し出力”という項目が設けられている。
【００４１】
“ページ出力”という項目は、バインダ内容表示部１７３に表示されているページ、または、バインダ内容表示部１７３に表示されている一覧から選択されているページをＰＤＡ（この場合、図１に示したＰＤＡ３とする）に出力するときに選択される。“見出し出力”という項目は、バインダ選択部１７２に表示されているバインダ（見出し）内から選択されているバインダに含まれる全てのページ（バインダ）をＰＤＡ３に出力するときに操作される。
【００４２】
“ページ出力”という項目または“見出し出力”という項目のうち、どちらか一方にカーソル１５１が位置し、マウスのクリックなどの所定の操作が行われると、図９に示したようなウィンドウがディスプレイ１２１上に表示される。図９に示したウィンドウ２０１は、図８に示したウィンドウ１７１上に表示されるようにしても良いし、ウィンドウ１７１に切り替わって表示されるようにしても良い。
【００４３】
ウィンドウ２０１は、ＰＤＡ３を識別するための情報を入力するためのウィンドウである。ＰＣ１（図１）には、異なるユーザのＰＤＡ３（従って異なるＰＤＡ３）や、同一のユーザであっても異なるＰＤＡ３が接続される可能性がある。そのために、どのＰＤＡ３に対してデータを出力するのかを設定するための情報を設定しておく必要があり、その設定がウィンドウ２０１が参照されることにより行われる。
【００４４】
図９に示したウィンドウ２０１では、ＰＤＡ３のユーザ名を、ＰＤＡ３を識別するための情報として用いた例を示している。入力したユーザ名で良ければ、“ＯＫ”ボタンが操作され、処理を中断させるときには“キャンセル”ボタンが操作される。
【００４５】
“ＯＫ”ボタンが操作されると、選択されているバインダ（見出し）内の全てのページの出力、または、選択されている所定のページのデータが出力される。データの出力先について、図１０を参照して説明する。記憶部２８には、バインダデータフォルダ２１１、データプールフォルダ２１２、および、バックアップフォルダ２１３という３つのフォルダが設けられている。なお、ここではフォルダとして説明するが、フォルダというのは、記憶部２８の所定の領域のことを示すとする。
【００４６】
バインダフォルダ２１１は、「バインダーを開く」アプリケーション１４４で管理するバインダのデータが記憶される。バインダフォルダ２１１には、図１１を参照するに、“バインダＡ”とそのバインダＡに含まれる“ページＡ１”、“ページＡ２”、・・・、“バインダＢ”とそのバインダＢに含まれる“ページＢ１”、“ページＢ２”、・・・、というように、複数のバインダと、それぞれのバインダ内に含まれるページが、それぞれ関連付けられて記憶されている。
【００４７】
データプールフォルダ２１２は、バインダデータフォルダ２１１に記憶されているデータのうち、上述したような処理により、ユーザにより出力が指示されたバインダまたはページに関するデータが、バインダデータフォルダ２１１からコピーされて記憶される。
【００４８】
例えば、図１１を参照して説明するに、バインダ選択部１７１（図８）に“バインダＡ”というバインダが表示され、その“バインダＡ”というのが選択されている状態のときに、プルダウンメニュー１９１内の“見出し出力”という項目が選択された場合、バインダデータフォルダ２１１に記憶されている“バインダＡ”に関するデータが、データプールフォルダ２１２にコピー（出力）される。
【００４９】
また、バインダ選択部１７１（図８）に“バインダＢ”というバインダが表示され、その“バインダＢ”というのが選択され、さらに、バインダ内容表示部１７３に表示されているページのうち“ページＢ”というのが選択されている状態のときに、プルダウンメニュー１９１内の“ページ出力”という項目が選択された場合、バインダデータフォルダ２１１に記憶されている“バインダＢ”内の“ページＢ”に関するデータが、データプールフォルダ２１２にコピー（出力）される。
【００５０】
この際、バインダに関するデータが出力される際も、ページに関するデータが出力される際も、その出力されるデータは、バインダデータフォルダ２１１に記憶されているデータと同一のものである。その出力されるデータについて説明する前に、図１０の説明に戻る。
【００５１】
図１０に示すように、ＰＣ１の記憶部２８には、３つのフォルダが設けられている。ユーザによりＰＤＡ３に対して出力すると指示されたデータは、一旦、データプールフォルダ２１２に出力され、記憶される。このようにユーザによりデータの出力が指示された時点で、リアルタイムに、ＰＤＡ３に対してデータが出力されるわけではない。
【００５２】
データプールフォルダ２１２に記憶されているデータは、実際にＰＤＡ３に対してデータが出力された後に削除されるが、その出力されたデータと同一のデータは、バックアップフォルダ２１３に記憶される。
【００５３】
バインダデータフォルダ２１１にデータが作成され、そのデータが、ユーザの指示によりデータプールフォルダ２１２に出力され、さらに、バックアップフォルダ２１３に出力されるまで（ＰＤＡ３に対してデータが書き出されるまで）の処理について、図１２のフローチャートを参照して説明する。ステップＳ１１において、ページまたはバインダの選択に関わる処理が実行される。
【００５４】
ページまたはバインダの選択に関わる処理とは、図７乃至図９を参照して説明したように、ユーザがＰＤＡ３に対して出力を所望するページまたはバインダを選択し、出力を最終的に指示するまでに関わる処理である。ページのデータの出力が指示された場合も、バインダのデータの出力が指示された場合も、基本的に同様の処理なので、以下の説明においては、ページのデータの出力が指示されたとして説明する。
【００５５】
ステップＳ１１において、データを出力するページが指示されると、ステップＳ１２において、その出力が指示されたページに対応するデータが、バインダデータフォルダ２１１から読み出され、データプールフォルダ２１２にコピー（出力）される。このようにして、データプールフォルダ２１２にデータが出力された後の時点において、実際に、ＰＤＡ３に対してデータの出力が行われるわけだが、その出力の指示があったか否かが、ステップＳ１３において判断される。
【００５６】
ステップＳ１３における判断は、ＰＤＡ３側から、データプールフォルダ２１２に記憶されているデータの出力が要請されているか否かを判断することにより行われる。具体的には、まず、ユーザは、図１に示したように、ＰＤＡ３とＰＣ１をクレードル２を介して接続させる。ＰＤＡ３には、ＰＣ１側に記憶されている画像処理ソフトウェア１０２に対応するソフトウェア（不図示、ここでは、以下適宜、ＰＤＡ用画像処理ソフトウェアと記述する）が記憶されている。
【００５７】
ＰＤＡ３側で、ＰＤＡ用画像処理ソフトウェアが起動され、所定の操作が行われると、ＰＤＡ３のＬＣＤ６５上には、図１３に示したような画面が表示される。ＬＣＤ６５に表示される画面は、ＰＣ１からデータの取り込み（入力）を行うか、ＰＣ１へデータの書き出し（出力）を行うか、または、この処理を中止するかを決定するために参照される画面である。
【００５８】
“取り込み”ボタン２３１は、ＰＣ１からデータの取り込みを行うときに操作される。“書き出し”ボタン２３２は、ＰＣ１へデータの書き出しを行うときに操作される。“キャンセル”ボタン２３３は、この処理を中止するときに操作される。
【００５９】
このような画面が表示されている状態で、“取り込み”ボタン２３１が操作されると、その情報は、ＰＣ１に対して出力される。このような情報を入力したＰＣ１は、ステップＳ１３において、書き出しの指示があったと判断する。
【００６０】
ステップＳ１３において、書き出しの指示があったと判断された場合、ステップＳ１４に進み、データプールフォルダ２１２に記憶されており、そのＰＤＡ３に対して出力が指示されていたデータの一覧に関する情報が、ＰＤＡ３に対して出力される。このようなデータプールフォルダ２１２に記憶されているデータに関する情報を入力したＰＤＡ３側においては、その情報を処理することにより、ＬＣＤ６５上に、図１４に示したような画面を表示させる。
【００６１】
図１４に示したように、ＬＣＤ６５には、データプールフォルダ２１２に記憶されているデータが、“バインダ１”、“バインダ２”、および、“バインダ３”の３つのバインダ（ページ）に関するデータであり、それぞれ、“２０００２／０５／０１”、“２００２／０５／０２”、および、“００２／０５／０３“に、ＰＣ１側において、ＰＤＡ３に対して書き出しの指示が行われたことを示す情報が表示されている。
【００６２】
このような画面がＬＣＤ６５に表示されている状態で、“取り込み”ボタン２４１が操作されると、選択されているバインダに関するデータ（図１４においては、“バインダ１”というバインダのデータ）の出力の要請が、ＰＣ１に対して出される。
【００６３】
“最新情報”ボタン２４２が操作されると、データプールフォルダ２１２に記憶されているデータに関する情報が、再度ＰＣ１から取得され、図１４に示したような画面が、その再度取得された情報に基づく画面に更新される。“キャンセル”ボタン２３３は、この処理を実行せずに終了させたいときに操作される。
【００６４】
図１４に示した画面がＰＤＡ３のＬＣＤ６５上に表示されている状態で、“取り込み”ボタン２４１が操作されると、その情報は、ＰＣ１に対して出力される。この情報は、ＲＡＭ２３に展開されているコンバートソフトウェア１０３により受信される。コンバートソフトウェア１０３は、ステップＳ１５において、データプールフォルダ２１１から、書き出しが指示されたデータの読み出しを行う。
【００６５】
コンバートソフトウェア１０３は、データプールフォルダ２１１からデータを読み出すとともに、そのデータを、バックアップフォルダ２１３にコピーさせる。このような処理が実行されることにより、データプールフォルダ２１２からは、書き出しが指示されたデータが削除されるとともに、バックアップフォルダ２１３にバックアップが取られることになる。
【００６６】
ステップＳ１６において、コンバートソフトウェア１０３は、読み出したデータをＰＤＡ３で処理できるデータに変換する。この場合、ＰＣ１においては、画像処理ソフトウェア１０２（図４）で処理できるデータであり、そのようなデータが、ＰＤＡ３のＰＤＡ用画像処理ソフトウェアで処理できるデータに変換される。
【００６７】
この変換についての詳細は後述するとし、先に、図１２のフローチャートの説明を続けるに、ステップＳ１６において、変換されたデータは、ステップＳ１７において、ＰＣ１側からＰＤＡ３側に出力される。このようにして出力されたデータは、ＰＤＡ３の記憶部７０またはメモリスティック８１に記憶される。
【００６８】
このようにしてＰＣ１とＰＤＡ３の間で授受されるデータについて説明する。まず、図１５に示したように、ＰＣ１のディスプレイ１２１上に、バインダの所定のページが表示されている状態で、そのページの出力が指示された場合、そして、その出力されたページが、ＰＤＡ３のＬＣＤ６５上で表示されたときの画面について説明する。
【００６９】
まず、図１５に示したディスプレイ１２１上に表示される画面について説明する。図１５に示した画像は、バインダ内容表示部１７３内に表示される、バインダ内の１ページの画像例である。図１５に示したページに記載されている事項を確認するに、まず、背景２６１が、ページ全体に存在する。そして、ページの上部には、そのページのタイトル２６２が記載されている。
【００７０】
タイトル２６２の右側には、このページが作成された日（最終の更新日）である日付２６３が記載されている。タイトル２６２の下側には、画像２６４−１が記載され、その右側には、評価２６５や、材料２６６が記載されている。図１５に示したページの画像例は、“レシピ集”というバインダ内の１ページを示している。そのため、そのページには、タイトル２６２である“桃パフェ”という料理に対する味の評価や、その料理を作るための材料などが記載されている。
【００７１】
画像２６４−１の下側には、“桃パフェ”の作り方２６８が記載されており、その下側には、画像２６４−１とは異なる画像２６４−２が記載されている。ページの一番下側には、この料理に対するコメント２６９が記載されている。これらの画像やテキストの間に、お絵かき２６７−１乃至２６７−３が記載されている。以下、お絵かき２６７−１乃至２６７−３を個々に区別する必要がない場合、単に、お絵かき２６７と記載する。他の部分についても同様に記載する。
【００７２】
図１５に示したページの例は、一例であり、このように、画像やテキストが配置されることを限定するものではない。すなわち、画像やテキストは、ユーザにより、その内容は勿論のこと、配置なども好みに応じて編集することが可能とされている。また、画像の枚数なども、ユーザの好みに応じて編集することが可能とされている。さらに、お絵かき２６１は、ユーザが、ページを作成する際に、適宜、好みに応じて、書き加えたものであり、画像やテキストといったものがページの所望の場所に貼り付けられるようにされている。
【００７３】
このような画面（ページ）が、上述したような処理を経て、ＰＤＡ３に書き出され、ＰＤＡ３側のＰＤＡ用画像処理ソフトウェアの処理により、ＬＣＤ６５上に表示される画面を図１６に示す。ＰＤＡ３は、ＰＣ１と比べて性能が低い場合がある。また、ＰＤＡ３は、携帯可能な大きさに設計されているため、その表示部であるＬＣＤ６５の大きさも、ＰＣ１のディスプレイ１２１と比べて小さいものとされている。
【００７４】
そのため、ＰＣ１のディスプレイ１２１上に表示させたページ、この場合、図１５に示したページを、ＰＤＡ３のＬＣＤ６５上に全く同じ構成で表示することは困難であり、また、表示したとしてもそのページは見づらいものとなってしまう。そこで、ＰＤＡ３のＬＣＤ６５上にページを表示する際は、ＰＤＡ３で表示するのに適した画面が表示されるようにする。
【００７５】
具体的には、図１６に示したように、まず、タイトル２６２’（図１５に示したディスプレイ１２１上に表示されるページと対応するもの（内容的には同等のもの）がＬＣＤ６５上にも表示されるが、ディスプレイ１２１上に表示されるものと区別するため、ＬＣＤ６５上に表示されるものにはダッシュを付けて記述する）が表示される。その下側には、評価２６５’、画像２６４−１’、材料２６６’、および作り方２６８’が表示される。なお、コメント２６９’も表示可能であり、スクロールなどの処理が行われることにより、表示可能とされている。
【００７６】
ＰＤＡ３のＬＣＤ６５上に表示されるページには、背景２６１や、お絵かき２６７といったものが表示されていない。これは、ＰＤＡ３側の性能や、ＰＤＡ用画像処理ソフトウェアの処理に依存し、ＰＤＡ３では、画像が１枚、後はテキストのみという制限が加えられているからである。
【００７７】
このように、ＰＣ１のディスプレイ１２１上で表示されるページと、ＰＤＡ３のＬＣＤ６５上で表示されるページは異なっている。このことを換言すれば、ページを表示させるために用いられるデータが異なる。
【００７８】
ここで、ＰＣ１側で扱われるデータと、ＰＤＡ３側で扱われるデータについて、図１７と図１８を参照して説明する。ここでは、図１５および図１６に示したような画像が表示される場合を例に挙げて説明する。図１７に示したデータ構成は、図１５に示したようなページを表示させるために用いられるデータである。バインダＩＤ２８１は、このページがどのバインダに含まれているのかを示すＩＤである。ページＩＤ２８２は、バインダ内には複数のページが含まれているわけだが、それらのページを一意に区別するためのＩＤである。
【００７９】
なお、バインダＩＤ２８１とページＩＤ２８２は、それぞれ関連性を持たせても良いし、関連性を持たせなくても良い。関連性を持たせた場合、バインダＩＤ２８１とページＩＤ２８２の組み合わせにより、１つのページが一意に決定される。また、関連性を持たせた場合、例えば、異なるバインダＩＤ２８１であれば、ページＩＤ２８２は同一のＩＤを割り振ることも可能であるし、ページＩＤ２８２をバインダＩＤ２８２内で、連番として割り振るようにしても良い。
【００８０】
関連性を持たせない場合、ページＩＤ２８２だけで一意にページを決定することが可能となるようなＩＤが割り振られる。
【００８１】
図１５に示したような画面を表示させるためには、それぞれの記載事項に関わるデータが必要である。すなわち、そのデータとしては、図１７に示したようなデータであり、タイトル２６２、日付２６３、画像２６４―１、評価２６５、材料２６６、作り方２６８、コメント２６９が選択可能なデータとして設定され、背景２６１、画像２６４−２、および、お絵かき２６７−１乃至２６７−３が選択不可のデータとして設定されているようなデータである。この選択可能なデータとは、ＰＤＡ３において、再生可能なデータであり、選択不可のデータとは、ＰＤＡ３において、再生不可能（再生することにより、不都合が発生する可能性のある）データである。
【００８２】
このように、予めＰＤＡ３に対してデータを出力することがあるということを前提とした場合、このようなデータの分類を予め設定しておくことができる。選択可能のデータとは、デフォルトでは、これらのデータがＰＣ１とＰＤＡ３間で授受されるデータであると設定されているが、ユーザが、授受されるデータとして設定できる範囲のデータであることを示している。
【００８３】
例えば、ユーザが、ＰＤＡ３へのデータの書き出しを指示した場合、そのときに、ユーザに対して選択で着るデータの一覧を提供するようにし、ユーザがデータの選択を行える仕組みを設けるようにしても良い。ここでは、デフォルトして設定されているデータの授受が行われるとして説明する。
【００８４】
図１８に示したデータ構成は、図１６に示したようなページを表示させるために用いられるデータである。図１７と図１８に示したデータを比較するに、図１８に示したデータは、図１７に示したデータのうち、選択不可データを除く部分のデータとされている。
【００８５】
選択不可のデータは、上述したように、ＰＤＡ３においては再生できないデータであると設定されている。従って、そのようなデータを、ＰＤＡ３で記憶する必要はなく、そのために、ＰＣ１からＰＤＡ３に書き出されるデータは、図１８に示したようなデータとされている。
【００８６】
このように、本実施の形態においては、書き出しが行われる際、相手側の性能や制限にあわせたデータが出力される。このような、無駄なデータは書き出さないようにする処理は、ステップＳ１６（図１２）における変換（コンバート）の処理で行われる。
【００８７】
ステップＳ１６において行われる変換の処理について再度説明するに、データプールフォルダ２１２（図１０）には、図１７に示したデータ構成のデータが記憶されている。コンバートソフトウェア１０３は、データプールフォルダ２１２に記憶されている図１７に示したデータ構成をもつデータを読み出し、図１８に示したデータ構成のデータ、すなわち、選択不可データの部分を削除したデータを作成し、さらにＰＤＡ３で扱えるデータ形式に変換してＰＤＡ３に対して出力する。
【００８８】
コンバートソフトウェア１０３は、データプールフォルダ２１２から図１７に示したデータ構成のデータを読み出す一方で、そのデータを、バックアップフォルダ２１３に出力し、記憶させる。このようにして、変換の処理が行われる。
【００８９】
ところで、上述した実施の形態においては、ＰＣ１側からみれば、ＰＣ１からＰＤＡ３に対してデータが出力される（書き出される）場合を例に挙げて説明したことになるが、ＰＤＡ３側からみれば、ＰＤＡ３がＰＣ１からのデータを入力する（取り込む）場合を例に挙げて説明したことになる。
【００９０】
上述した実施の形態で説明していない逆の例の場合、すなわち、ＰＣ１側からみれば、ＰＤＡ３からＰＣ１に対してデータが出力される（書き出される）場合であり、ＰＤＡ３側からみれば、ＰＣ１がＰＤＡ３からのデータを入力する（取り込む）場合については、既に説明した実施の形態における処理において、処理を行う主体を入れ替えれば良く、基本的に同様の処理であるので、ここではその説明を省略する。
【００９１】
上述したように、ＰＣ１とＰＤＡ３の間では、データの授受が必要な範囲内のデータだけで行われるわけだが、このようにすることで、授受されるデータ量を小さくすることができ、データ転送にかかる時間を短縮することができる。
【００９２】
ところで、上述したようなＰＣ１とＰＤＡ３の間でデータの授受が行われることにより、基本的には、同一のデータが異なる装置で管理されることになる。しかしながら、例えば、ＰＣ１側で管理され、例えば、図１５に示すような画像を表示させるための画像データが、ＰＤＡ３に書き出された後の時点で、ＰＣ１側またはＰＤＡ３側の一方で、データに変更が加えらるような状況が発生した場合、ＰＣ１側で管理されているデータとＰＤＡ３側で管理されているデータは、異なったデータとなってしまう。
【００９３】
また、そのような変更が発生したような場合、ユーザ側としては、変更が加えられていない装置側のデータも、その変更が反映されることが好ましいと考える。そこで、ＰＣ１やＰＤＡ３は、ＰＣ１またはＰＤＡ３からデータを書き込んだとき、そのデータを既に管理されているデータと比較し、更新するか否かの処理を行う。図１９を参照して、そのような処理について説明する。
【００９４】
図１９に示した処理は、ＰＣ１またはＰＤＡ３が、データを書き込んだとき（入力したとき）に行なわれる。ここでは、ＰＣ１が、ＰＤＡ３からのデータを書き込んだときを例に挙げて説明する。
【００９５】
コンバートソフトウェア１０３（図１０）は、ＰＤＡ３からのデータを書き込んだ場合、ステップＳ３１において、書き込まれたデータに含まれるバインダＩＤ２８１’とページＩＤ２８２’を読み出し、そのバインダＩＤ２８１’とページＩＤ２８２’と同じバインダＩＤ２８１とページＩＤ２８２を含むデータが、バックアップフォルダ２１３内に存在するか否かを判断する。
【００９６】
なお、バインダＩＤ２８１とページＩＤ２８２の組み合わせにより、一意に１つのページが決定されるように、ＩＤを割り振ると設定されている場合、バインダＩＤ２８１とページＩＤ２８２の組み合わせにより、ステップＳ３１の処理が行われるが、ページＩＤ２８２だけで、一意に１つのページが決定されるように、ＩＤを割り振ると設定されている場合、ページＩＤ２８２だけで、ステップＳ３１の処理が行われるようにしても良い。
【００９７】
ステップＳ３１において、読み出したバインダＩＤ２８１’とページＩＤ２８２’と同じバインダＩＤ２８１とページＩＤ２８２を含むデータが、バックアップフォルダ２１３内に存在すると判断された場合、ステップＳ３２に進み、同じＩＤであると判断されたデータの日時に関するデータが読み出される。読み出された日時に関するデータより、異なる日時であるか否かが判断される。
【００９８】
異なる日時である場合、ＰＣ１側で管理されていたデータか、または、ＰＤＡ３側で管理されていたデータのうちの、どちらか一方に変更が生じていることを示している。そこで、ステップＳ３３においては、ユーザに、日時が異なるが、管理されているデータを、書き込まれたデータに置き換えるか否かを問い、その問いに応じたデータの更新の処理が実行される。
【００９９】
同一の日時である場合、ＰＣ１側で管理されていたデータと、ＰＤＡ３側で管理されていたデータが同一である可能性が高いことを示しており、そのような場合には、特にユーザに問い合わせることなく、ステップＳ３３において、データの更新が行われる。勿論、このような場合にも、ユーザに既に管理されているデータと置き換えるか否かを問うような処理を設けても良い。
【０１００】
一方、ステップＳ３１において、読み出したバインダＩＤ２８１’とページＩＤ２８２’と同じバインダＩＤ２８１とページＩＤ２８２を含むデータが、バックアップフォルダ２１１内に存在しないと判断された場合、ステップＳ３４に進む。
【０１０１】
ステップＳ３１において、ＰＤＡ３からのデータから読み出したバインダＩＤ２８１’とページＩＤ２８２’と同じバインダＩＤ２８１とページＩＤ２８２を含むデータが、バックアップフォルダ２１３に存在しないと判断された場合、そのことは、ＰＤＡ３側で新規に作成されたデータが入力されたことを示しているので、ステップＳ３４において、新たに、そのデータが追加される。
【０１０２】
この際、追加される先は、同一のバインダＩＤ２８１を有するデータが記憶されているフォルダに記憶される。このようにされることにより、ＰＣ１側とＰＤＡ３側で、同一のフォルダ内で、新規作成されたページは、同一のフォルダ内で管理されることになる。
【０１０３】
また、同一のバインダＩＤ２８１を有するデータが記憶されているフォルダがない場合、入力されたデータは、そのデータを記憶させるフォルダ（バインダ）が作成され、そのバインダ内に追加記憶される。このようにされることにより、ＰＣ１側でも、ＰＤＡ３側で新たに作成されたページ（バインダ）を管理することが可能となる。
【０１０４】
なお、ステップＳ３１において、ＰＤＡ３からのデータから読み出したバインダＩＤ２８１’とページＩＤ２８２’と同じバインダＩＤ２８１とページＩＤ２８２を含むデータが、バックアップフォルダ２１３に存在すると判断された場合においても、バインダデータフォルダ２１１には存在していないとき、すなわち、ＰＣ１側では、削除されてしまったデータが、ＰＤＡ３からのデータとして入力された状況も含まれる。
【０１０５】
このような場合にはも、ステップＳ３３に進み、そのデータを更新する処理が行われる。ステップＳ３３において行われる更新の処理は、基本的には、上述した場合と同様に行われる。ただし、バックアップフォルダ２１３から、対応するデータが読み出され、そのデータに対して、ＰＤＡ３からのデータを用いた更新の処理が行われる。
【０１０６】
バックアップフォルダ２１３に記憶されているデータは、図１７に示したようなデータ構造を持つデータであり、選択不可データも含んでいる。ＰＤＡ３からのデータは、図１８に示したようなデータ構造を持つデータであるので、このようなデータに、選択不可データを追加し、その追加された後のデータをＰＣ１側で処理できる形式のデータに変換するといった処理が、ステップＳ３３の更新の処理として行われる。
【０１０７】
このように、一方の装置において、削除されてしまったようなデータであっても、その削除が行われた後の時点で、更新させること（復活させること）が可能とされているため、ＰＣ１側とＰＤＡ３側で、それぞれ管理されるデータの同一性を、より確実に保つことが可能となる。
【０１０８】
なお、同一のデータとあるが、上述したように、コンテンツデータをＰＤＡ３で扱えるデータ形式に変換してＰＤＡ３に対して出力することで、データ形式上、完全に同一のものであるとはいえない場合があるが、識別情報（バインダＩＤ２８１やページＩＤ２８２）の内容は、変換前後で、変更されることなく、対応付けられた同一のものとされている。すなわち、テーブルなどの対応表などを用い、対応関係を用いて処理するようにしたとしても、同一の識別情報を扱うことにかわりはなく、本発明を適用することはできる。
【０１０９】
このように、本実施の形態によれば、異なる装置間でのデータの交換を効率よく行うことが可能となり、また、一方の装置で行われたデータに対する変更を、他方の装置で管理されているデータに、簡便に、かつ、確実に反映させることが可能となる。このように、本実施の形態において授受されるデータは、双方の装置で、それぞれ可逆的に復元できるデータとされているため、双方の装置で、適切なデータの扱いを行うことができる。
【０１１０】
なお、上述した実施の形態においては、バインダと、そのバインダに含まれるページのデータに関する例を挙げて説明したが、このようなデータに本発明が限定されるわけではない。本発明は、静止画像データ、動画像データ、テキストデータ、音声データなどのコンテンツデータに対して適用することが可能である。
【０１１１】
また、上述した実施の形態においては、異なる装置間においてデータの授受を行う例を挙げて説明したが、異なるアプリケーション間におけるデータ授受、異なるＯＳ間におけるデータの授受などに対しても、本発明を適用することは可能である。
【０１１２】
上述した一連の処理は、それぞれの機能を有するハードウェアにより実行させることもできるが、ソフトウェアにより実行させることもできる。一連の処理をソフトウェアにより実行させる場合には、そのソフトウェアを構成するプログラムが専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１１３】
記録媒体は、例えば図２に示すように、パーソナルコンピュータ（ＰＣ１）とは別に、ユーザにプログラムを提供するために配布される、プログラムが記録されている磁気ディスク４１（フレキシブルディスクを含む）、光ディスク４２（ＣＤ−ＲＯＭ（Ｃｏｍｐａｃｔ　Ｄｉｓｃ−Ｒｅａｄ　Ｏｎｌｙ　Ｍｅｍｏｒｙ），ＤＶＤ（Ｄｉｇｉｔａｌ　Ｖｅｒｓａｔｉｌｅ　Ｄｉｓｃ）を含む）、光磁気ディスク４３（ＭＤ（Ｍｉｎｉ−Ｄｉｓｃ）（登録商標）を含む）、若しくは半導体メモリ４４などよりなるパッケージメディアにより構成されるだけでなく、コンピュータに予め組み込まれた状態でユーザに提供される、プログラムが記憶されているＲＯＭ２２や記憶部２８が含まれるハードディスクなどで構成される。
【０１１４】
なお、本明細書において、媒体により提供されるプログラムを記述するステップは、記載された順序に従って、時系列的に行われる処理は勿論、必ずしも時系列的に処理されなくとも、並列的あるいは個別に実行される処理をも含むものである。
【０１１５】
また、本明細書において、システムとは、複数の装置により構成される装置全体を表すものである。
【０１１６】
【発明の効果】
本発明の情報処理装置および方法、並びにプログラムによれば、異なる装置間、異なるアプリケーション間、異なるＯＳ間で、データの授受を行うことが可能となる。
【０１１７】
また、本発明の情報処理装置および方法、並びにプログラムによれば、データの授受は、互いの装置で、可逆的に復元可能なデータとされており、簡便に、データの更新ができるようにすることが可能となる。
【図面の簡単な説明】
【図１】本発明の情報処理装置を含む情報処理システムの一実施の形態の構成を示す図である。
【図２】ＰＣの内部構成例を示す図である。
【図３】ＰＤＡの内部構成例を示す図である。
【図４】ソフトウェアの構成例を示す図である。
【図５】ディスプレイ上に表示される画面の一例を示す図である。
【図６】画像処理ソフトウェアの構成について説明するための図である。
【図７】ディスプレイに表示される画面の一例を示す図である。
【図８】ディスプレイに表示される画面の一例を示す図である。
【図９】ディスプレイに表示される画面の一例を示す図である。
【図１０】フォルダについて説明するための図である。
【図１１】フォルダ間におけるデータの授受について説明するための図である。
【図１２】書き出しの処理について説明するフローチャートである。
【図１３】ＬＣＤに表示される画面の一例を示す図である。
【図１４】ＬＣＤに表示される画面の一例を示す図である。
【図１５】ディスプレイに表示される画面の一例を示す図である。
【図１６】ＬＣＤに表示される画面の一例を示す図である。
【図１７】データ構造について説明するための図である。
【図１８】データ構造について説明するための図である。
【図１９】データの更新に関する処理について説明するためのフローチャートである。
【符号の説明】
１　ＰＣ，　２　クレードル，　３　ＰＤＡ，　１０２　画像処理ソフトウエア，　１０３　コンバートソフトウェア，　１２１　ディスプレイ，　１７１　ウィンドウ，　１７２　バインダ選択部，　１７３　バインダ内容表示部，　１９１　プルダウンメニュー
【図１】
2004126886.tif 000003
【図２】
2004126886.tif 000004
【図３】
2004126886.tif 000005
【図４】
2004126886.tif 000006
【図５】
2004126886.tif 000007
【図６】
2004126886.tif 000008
【図７】
2004126886.tif 000009
【図８】
2004126886.tif 000010
【図９】
2004126886.tif 000011
【図１０】
2004126886.tif 000012
【図１１】
2004126886.tif 000013
【図１２】
2004126886.tif 000014
【図１３】
2004126886.tif 000015
【図１４】
2004126886.tif 000016
【図１５】
2004126886.tif 000017
【図１６】
2004126886.tif 000018
【図１７】
2004126886.tif 000019
【図１８】
2004126886.tif 000020
【図１９】
2004126886.tif 000021